(57)【特許請求の範囲】
【請求項１】
着生基盤に直径0.6 〜1.0mm 、深さ0.6 〜1.0mm の小穴を開けることで、この小穴の中にサンゴの幼生が誘引着生されることを特徴とするサンゴ幼生の誘引方法。
【請求項２】
一つの前記小穴に対して着生するサンゴ幼生が、多くても３個までであることを特徴とする請求項１に記載のサンゴ幼生の誘引方法。
【請求項３】
直径0.6 〜1.0mm 、深さ0.6 〜1.0mm の小穴をセラミック又はタイル、アクリルからなる基盤にドリル又はレーザで開けたことを特徴とするサンゴ幼生の誘引着床具。
【発明の詳細な説明】
【技術分野】
【０００１】
本発明は、サンゴ幼生を基盤に着生させ、育成する方法に関する。
【背景技術】
【０００２】
近年、サンゴ礁は、海水温上昇に伴う白化現象、オニヒトデによる食害、陸地開発等による荒廃が進んでおり、サンゴ礁の保全や再生が必要とされており、サンゴを増やす方法が種々提案されている。
その一つに、サンゴ幼生を効率的に着生させるための人工の構造物を、海中、または陸上の水槽などに設置する試みが行われている。
サンゴ幼生の着生用の手段としては、特許文献１に記載されているようなコンクリートブロック（物理的特徴を有するもの）の他に、上述の特許文献２に記載されているような特定の成分組成を有する焼成体（化学的特徴を有するもの）、特許文献３に記載されているようなサンゴ幼生の誘引成分を含むサンゴ幼生用粒体やマトリックス材料を含むサンゴ幼生の着生用基盤などが知られている。
【先行技術文献】
【特許文献】
【０００３】
【特許文献１】特開2011-125239
【特許文献２】特開2008-271960
【特許文献３】特開2019-176767
【発明の概要】
【発明が解決しようとする課題】
【０００４】
上記した特許文献１〜３では、特定の材質や物理的特徴、化学的特徴を有した基盤が必要となるため、用途は限定的である。また、サンゴ幼生は密に着生してしまうとその後の死亡率が高くなるが、サンゴ幼生の着生を誘引する方法である特許文献１〜３では、着生するサンゴ幼生の量を調整することが困難である。また、着生初期の稚サンゴは数mm程度であり、視認することが困難であるため、稚サンゴを気付けないように、サンゴと競合する海藻類の除去といった基盤清掃や生存確認等の飼育管理を行うのが困難となる。そのため、多様な基盤に有効であり、サンゴ幼生を疎に特定の場所に着生誘引する手法の開発が課題となっている。
【０００５】
本発明の技術的課題は、多様な材質の着生基盤に適用でき、サンゴ幼生を特定の場所に着生誘引することができ、着生後の稚サンゴの初期生残率を高め、初期飼育管理を容易にすることができる、サンゴ幼生の着生誘引方法及び着生基盤構造、着生方法を提供することである。
【課題を解決するための手段】
【０００６】
本発明の技術的課題は次のような手段によって解決される。請求項１は、着生基盤に直径0.6 〜1.0mm 、深さ0.6 〜1.0mm の小穴を開けることで、この小穴の中にサンゴ幼生を誘引着生されることを特徴とするサンゴ幼生の誘引方法である。
【０００７】
請求項２は、一つの前記小穴に対して着生するサンゴ幼生が、多くても３個までであることを特徴とする請求項１に記載のサンゴ幼生の誘引方法である。
【０００８】
請求項３は、直径0.6 〜1.0mm 、深さ0.6 〜1.0mm の小穴をセラミック又はタイル、アクリルからなる基盤にドリル又はレーザで開けたことを特徴とするサンゴ幼生の誘引着床具である。
【発明の効果】
【０００９】
請求項１のように、着生基盤に施された直径が0.6 〜1.0mm 、深さ0.6 〜1.0mm の範囲の小穴には、投入後すぐに多くの幼生が入り、小穴を選択的に好むことが確認された。
【００１０】
請求項２のように、一つの前記小穴に対して着生するサンゴ幼生が、多くても３個までである。サンゴ幼生が密に着生すると死亡率が高くなるため、本発明によって小穴を疎に施し、サンゴ幼生が疎に着生することができると、その後の稚サンゴの生存率を高くすることができる。
【００１１】
請求項３のように、ドリル又はレーザにより直径が0.6 〜1.0mm 、深さ0.6 〜1.0mm の範囲の小穴の加工を施した基盤に、着生適齢期のサンゴ幼生を投入すると、基盤の材質に関係無くサンゴ幼生の着生が誘引される。これまでは、海域馴致をしていない基盤や表面が滑らかなアクリル板には幼生は着生しないと考えられていたが、小穴加工を施し、サンゴ幼生飼育に適した水質であれば、海域馴致していないアクリル板にも着生可能である。
【図面の簡単な説明】
【００１２】
【図１】本発明によるサンゴ幼生の着生場所となる小穴の断面形状を示す断面図である。
【図２】幼生投入後すぐに、多くの幼生が小穴に入っている状態を示す顕微鏡写真である。
【図３】基盤（アクリル板）に開けた小穴の中で変態途中のサンゴ幼生の顕微鏡写真である。
【図４】基盤（アクリル板）に開けた小穴の中で変態した稚サンゴの顕微鏡写真である。
【発明を実施するための形態】
【００１３】
次に本発明によるサンゴ幼生の生育方法が実際上どのように具体化されるか実施形態を説明する。図１は本発明によるサンゴ幼生の着生を誘引する小穴２の断面形状を示す。基盤１にドリル又はレーザで縦穴２を穿孔する。この縦穴２は、直径が約0.6 〜1.0mm 、深さ0.6 〜1.0mm であるが、真円である必要はない。
【００１４】
小穴２の加工を施した基盤１に着生適齢期のサンゴ幼生を投入すると、着生基盤１の材質は関係無く、小穴２の中にサンゴ幼生の着生が誘引される。サンゴ幼生飼育に適した水質であれば、これまでは着生が困難と考えられていた海域馴致をしていない基盤や表面が滑らかなアクリル板にも着生可能である。
【００１５】
小穴２は0.6mm 未満だと、サンゴ幼生は小穴に入っても変態前に出てしまう。１つの小穴に対して着生するサンゴ幼生はほとんどの場合１個であり、多くても３個までである。サンゴ幼生が密に着生すると死亡率が高くなるため、本発明によって小穴を疎に施し、サンゴ幼生を疎に着生することができると、その後の稚サンゴの生存率を高くすることができる。
【００１６】
着生初期の稚サンゴは数mm程度であり、視認することが困難である。そのため、稚サンゴを気付つけないように、サンゴと競合する海藻類の除去といった基盤清掃や生存確認等の飼育管理を行うのが困難である。しかしながら、本手法では小穴に稚サンゴが着生するので、小穴を確認すれば稚サンゴの生存状況を確認することができ、小穴周辺を注意すれば一つ一つの稚サンゴの位置を確認する必要がなく基盤清掃ができる。また、基盤１の表面をタワシ等で掃除しても、小穴２に着生した稚サンゴは削がれることはなく影響は無い。したがって、基盤清掃や生残確認等の飼育管理が容易である。
【産業上の利用可能性】
【００１７】
本手法は、多様な材質の着生基盤に適用でき、サンゴ幼生を特定の場所に着生誘引することができる。また、サンゴ幼生を疎に着生させることで、着生後の稚サンゴの初期生残率を高め、飼育管理を容易にすることができる。したがって、本手法によってサンゴを安定的に増やすことが可能となる。
【符号の説明】
【００１８】
１  基盤
２  縦孔（小穴）
３  サンゴ幼生
【要約】      （修正有）【課題】多様な材質の着生基盤に適用でき、サンゴ幼生を特定の場所に着生誘引することができ、着生後の稚サンゴの初期生残率を高め、初期飼育管理を容易にすることができる、サンゴ幼生の着生誘引方法及び着生基盤構造、着生方法を提供する。【解決手段】着生基盤１に小穴２（直径が０．６〜１．０ｍｍ、深さが０．６〜１．０mm）を施すと、着生基盤の材質に関係無く、小穴の中にサンゴ幼生の着生が誘引される。小穴に稚サンゴが着生するので、小穴を確認すれば稚サンゴの生存状況を確認することができる。【選択図】図１【図１】
0006980215.tif 000002
【図２】
0006980215.tif 000003
【図３】
0006980215.tif 000004
【図４】
0006980215.tif 000005